(57)【要約】      （修正有）【課題】主面上の所定領域に対するフィルム積層体の位置決めを、ユーザが容易に維持できる手段を提供する。【解決手段】治具１０は、取付方向Ｄ１から見たときのケース９０の正面９０Ｍに接触することにより、前記取付方向Ｄ１へ前記ケース９０が移動することを規制する第１ケース規制部と、前記取付方向Ｄ１から見たときの前記ケース９０の外周面９０Ｆ、９０Ｌの少なくとも一部に略接触することにより、前記取付方向Ｄ１に対して垂直な垂直面内で前記ケース９０が移動することを規制する第２ケース規制部１２と、フィルム積層体２０の外周面２０ａの少なくとも一部に略接触することにより、前記主面９０Ｍ上で前記フィルム積層体２０の回転を規制するように前記フィルム積層体２０を位置決めするフィルム位置決め部１１ａと、を備えている。【選択図】図１
2015111194.tif 000002
【特許請求の範囲】
【請求項１】
直方体状の形状を有する画像表示装置のケースに所定の取付方向で取り付けられ、保護フィルムを前記ケースの主面上の所定領域に貼り付けるのに先だって、セパレータおよび前記保護フィルムを有するフィルム積層体を前記主面に対して位置決めする保護フィルム貼付用治具であって、
前記取付方向から見たときの前記ケースの正面に接触することにより、前記取付方向へ前記ケースが移動することを規制する第１ケース規制部と、
前記取付方向から見たときの前記ケースの外周面の少なくとも一部に接触または略接触することにより、前記取付方向に対して垂直な垂直面内で前記ケースが移動することを規制する第２ケース規制部と、
前記フィルム積層体の外周面の少なくとも一部に略接触することにより、前記主面上で前記フィルム積層体の回転を規制するように前記フィルム積層体を位置決めするフィルム位置決め部と、を備えている保護フィルム貼付用治具。
【請求項２】
前記フィルム積層体の外周面の全体を囲む内周面と、前記主面に沿って前記主面の外周部に張り出す規制面とを有する第１枠体と、
前記取付方向に延びる第１外周壁と、を備えており、
前記取付方向は、前記主面に対して垂直であり、
前記第１ケース規制部は、前記第１枠体の前記規制面によって構成されており、
前記フィルム位置決め部は、前記第１枠体の前記内周面によって構成されており、
前記第２ケース規制部は、前記第１外周壁によって構成されている、請求項１に記載の保護フィルム貼付用治具。
【請求項３】
前記フィルム積層体の外周面の一部を囲む内周面と、前記主面に沿って前記主面の外周部に張り出す規制面とを有する第２枠体と、
前記主面に対して垂直な垂直方向に延びる第２外周壁と、
前記ケースの副面に沿って延びる延出体と、を備えており、
前記取付方向は、前記主面に対して平行であり、
前記副面は、前記ケースにおいて前記主面の反対側にある面であり、
前記第１ケース規制部は、前記第２外周壁によって構成されており、
前記第２ケース規制部は、前記第２枠体の前記規制面、前記第２外周壁、および前記延出体によって構成されており、
前記フィルム位置決め部は、前記第２枠体の前記内周面によって構成されている、請求項１に記載の保護フィルム貼付用治具。
【請求項４】
別の保護フィルムを前記主面の反対に位置する前記ケースの副面上の所定領域に貼り付けるのに先だって、セパレータおよび前記別の保護フィルムを有する別のフィルム積層体を前記副面に対して位置決めする、請求項３に記載の保護フィルム貼付用治具であって、
前記延出体は、前記フィルム積層体の外周面の一部を囲む内周面と、前記副面に沿って前記副面の外周部に張り出す規制面とを有する第３枠体であり、前記別のフィルム積層体の外周面の少なくとも一部に略接触することにより、前記副面上で前記別のフィルム積層体を位置決めする、保護フィルム貼付用治具。
【請求項５】
請求項１〜４のいずれか１つに記載の保護フィルム貼付用治具と、前記フィルム積層体と、を備えている保護フィルム貼付用セット。
【請求項６】
前記フィルム積層体が、前記セパレータの反対側に配置され、前記保護フィルムよりも大きな寸法を有する大保持フィルムを備えており、
前記大保持フィルムは、前記保護フィルムの外側かつ前記大保持フィルムの一端部に、被係合部を有している、請求項１〜４のいずれか１つに記載の保護フィルム貼付用治具であって、
前記主面または前記副面上で位置決めされた前記フィルム積層体の前記被係合部と係合することによって、前記被係合部を固定する係合部を備えている、保護フィルム貼付用治具。
【請求項７】
請求項６に記載の保護フィルム貼付用治具と、前記フィルム積層体と、を備えている保護フィルム貼付用セット。
【発明の詳細な説明】
【技術分野】
【０００１】
本発明は、画像表示装置のケースの所定領域に保護フィルムを適切に貼ることを支援するための保護フィルム貼付用治具に関する。
【背景技術】
【０００２】
従来、携帯電話、スマートフォンなどの画像表示装置の表示面を保護するための保護フィルムが用いられている。このような保護フィルムは、単なる表示面の保護だけでなく、反射光の防止など、様々な目的のために、表示面に貼り付けられている。特許文献１は、このような保護フィルムの一例を、開示している。
【０００３】
保護フィルムは表示面に接着するための粘着層を有している。貼付を行うまでの間、粘着層を保護するために、粘着層にはセパレータが被せられている。つまり、保護フィルムおよびセパレータを少なくとも含む多層構造のフィルム積層体が構成されている。このようなフィルム積層体が一般に流通している。フィルム積層体は、画像表示装置の表示面のサイズに合わせて設計されている。
【０００４】
携帯電話等の利用者は、自らの目的に応じたフィルム積層体を購入し、自らの手で保護フィルムを表示面に貼り付ける。
【先行技術文献】
【特許文献】
【０００５】
【特許文献１】特開２００４−１１７７９０号公報
【発明の概要】
【発明が解決しようとする課題】
【０００６】
利用者が手作業で保護フィルムを表示面に貼りつける場合、利用者はまずフィルム積層体からセパレータを分離し、保護フィルムの粘着層を露出させる。粘着層を表示面に押し付けることにより、保護フィルムが表示面に貼りつけられる。ここで、表示面から外れることなく保護フィルムを貼り付けるには、利用者は、慎重に貼り付け作業を行う必要がある。このため、利用者に高度な技量が要求される。貼り付け作業に失敗すると、利用者は、表示面から保護フィルムを一旦剥がして再度貼り付け作業を行う。このような作業が繰り返されると、保護フィルムの粘着力が失われて、保護フィルム自体が使用できなくなってしまう。そうすると、利用者は、更にフィルム積層体を購入せざるを得なくなる。フィルム積層体は比較的高価であるため、フィルム積層体の追加購入は利用者に大きなコストを強いてしまう。
【０００７】
また、貼付作業がより成功しやすくなるように、次のような粘着テープを用いた貼付方法が検討されている。まず、セパレータを分離する前に、手でフィルム積層体を表示面に対して位置決めする。位置決めされた状態のフィルム積層体の一辺に沿って、フィルム積層体と画像表示装置のケースとに粘着テープを貼りつける。粘着テープによりフィルム積層体とケースとが連結されるので、フィルム積層体を開閉できるようになる。閉じられたファイル積層体を開き、開かれたファイル積層体からセパレータを剥がす。開いた状態で残された保護フィルムを閉じると、保護フィルムが表示面に位置決めされた状態で貼り付けられる。
【０００８】
ところが、この貼付方法では、フィルム積層体の位置決めをするために、フィルム積層体を表示面に押し付けながら、フィルム積層体が表示面に対して水平移動することや回転することを防止する必要がある。そうすると、一人で作業を行う場合、一方の手でフィルム積層体をケースに対して位置決めしながら、他方の手で粘着テープを貼り付ける必要がある。片手でフィルム積層体の位置決めをしていると、位置決めが不完全となりやすい。この結果、上述したように、再度の貼り付け作業が必要になったり、フィルム積層体の追加購入が必要となってしまう。
【０００９】
また、保護フィルムは、表示面だけでなく、表示面の周辺部を含む領域を、表示面を含むケースの主面の全体を被覆するように、用いられる場合がある。つまり、保護フィルムは、主面上の所定領域を保護するように用いられることがある。
【００１０】
そこで、本発明は、主面上の所定領域に対するフィルム積層体の位置決めを、ユーザが容易に維持できる手段を提供する。
【課題を解決するための手段】
【００１１】
本発明に係る保護フィルム貼付用治具は、直方体状の形状を有する画像表示装置のケースに所定の取付方向で取り付けられ、保護フィルムを前記ケースの主面上の所定領域に貼り付けるのに先だって、セパレータおよび前記保護フィルムを有するフィルム積層体を前記主面に対して位置決めする保護フィルム貼付用治具であって、前記取付方向から見たときの前記ケースの正面に接触することにより、前記取付方向へ前記ケースが移動することを規制する第１ケース規制部と、前記取付方向から見たときの前記ケースの外周面の少なくとも一部に接触または略接触することにより、前記取付方向に対して垂直な垂直面内で前記ケースが移動することを規制する第２ケース規制部と、前記フィルム積層体の外周面の少なくとも一部に略接触することにより、前記主面上で前記フィルム積層体の回転を規制するように前記フィルム積層体を位置決めするフィルム位置決め部と、を備えている。
【００１２】
前記保護フィルム貼付用治具は、前記フィルム積層体の外周面の全体を囲む内周面と、前記主面に沿って前記主面の外周部に張り出す規制面とを有する第１枠体と、前記取付方向に延びる第１外周壁と、を備えており、前記取付方向は、前記主面に対して垂直であり、前記第１ケース規制部は、前記第１枠体の前記規制面によって構成されており、前記フィルム位置決め部は、前記第１枠体の前記内周面によって構成されており、前記第２ケース規制部は、前記第１外周壁によって構成されている。
【００１３】
前記保護フィルム貼付用治具は、前記フィルム積層体の外周面の一部を囲む内周面と、前記主面に沿って前記主面の外周部に張り出す規制面とを有する第２枠体と、前記主面に対して垂直な垂直方向に延びる第２外周壁と、前記ケースの副面に沿って延びる延出体と、を備えており、前記取付方向は、前記主面に対して平行であり、前記副面は、前記ケースにおいて前記主面の反対側にある面であり、前記第１ケース規制部は、前記第２外周壁によって構成されており、前記第２ケース規制部は、前記第２枠体の前記規制面、前記第２外周壁、および前記延出体によって構成されており、前記フィルム位置決め部は、前記第２枠体の前記内周面によって構成されている、請求項１に記載の保護フィルム貼付用治具。
【００１４】
本発明に係る保護フィルム貼付用治具は、別の保護フィルムを前記主面の反対に位置する前記ケースの副面上の所定領域に貼り付けるのに先だって、セパレータおよび前記別の保護フィルムを有する別のフィルム積層体を前記副面に対して位置決めする、前記保護フィルム貼付用治具であって、前記延出体は、前記フィルム積層体の外周面の一部を囲む内周面と、前記副面に沿って前記副面の外周部に張り出す規制面とを有する第３枠体であり、前記別のフィルム積層体の外周面の少なくとも一部に略接触することにより、前記副面上で前記別のフィルム積層体を位置決めする。
【００１５】
本発明に係る保護フィルム貼付用セットは、前記保護フィルム貼付用治具と、前記フィルム積層体と、を備えている。
【００１６】
前記保護フィルム貼付用治具は、前記フィルム積層体が、前記セパレータの反対側に配置され、前記保護フィルムよりも大きな寸法を有する大保持フィルムを備えており、前記大保持フィルムは、前記保護フィルムの外側かつ前記大保持フィルムの一端部に、被係合部を有している、請求項１〜４のいずれか１つに記載の保護フィルム貼付用治具であって、前記主面または前記副面上で位置決めされた前記フィルム積層体の前記被係合部と係合することによって、前記被係合部を固定する係合部を備えている。
【００１７】
本発明に係る保護フィルム貼付用セットは、前記保護フィルム貼付用治具と、前記フィルム積層体と、を備えている。
【発明の効果】
【００１８】
このため、本発明に係る保護フィルム貼付用治具によれば、主面上の所定領域に対するフィルム積層体の位置決めを、ユーザが容易に維持できる。
【図面の簡単な説明】
【００１９】
【図１】取付前における、互いに分離されている保護フィルム貼付用治具、フィルム積層体、およびスマートフォンの斜視図である。
【図２】互いに取り付けられている保護フィルム貼付用治具、フィルム積層体、およびスマートフォンの斜視図である。
【図３】スマートフォンの斜視図である。
【図４】第１実施形態に係るフィルム積層体の側面図である。
【図５】第１実施形態に係る治具の下面図である。
【図６】治具およびフィルム積層体に粘着テープが貼られた、保護フィルム貼付用治具、フィルム積層体、およびスマートフォンの斜視図である。
【図７】フィルム積層体が開かれてセパレータが分離されるときの、保護フィルム貼付用治具、フィルム積層体、およびスマートフォンの斜視図である。
【図８】残りのフィルム積層体が閉じられたときの、保護フィルム貼付用治具、残りのフィルム積層体、およびスマートフォンの斜視図である。
【図９】保持フィルムおよび粘着テープが分離されたときの、保護フィルム貼付用治具、フィルム積層体、およびスマートフォンの斜視図である。
【図１０】保護フィルムが主面に貼り付けられた、保護フィルムおよびスマートフォンの斜視図である。
【図１１】分離されている保護フィルム貼付用治具、フィルム積層体、およびスマートフォンの斜視図である。
【図１２】取り付けられている保護フィルム貼付用治具、フィルム積層体、およびスマートフォンの斜視図である。
【図１３】第２実施形態に係るフィルム積層体の側面図である。
【図１４】第２実施形態に係る治具の後面図である。
【図１５】図１４のＡ−Ａ断面図である。
【図１６】フィルム積層体が開かれたときの、保護フィルム貼付用治具、フィルム積層体、およびスマートフォンの斜視図である。
【図１７】分離されている保護フィルム貼付用治具、別のフィルム積層体、および主面に保護フィルムが貼り付けられたスマートフォンの斜視図である。
【図１８】保護フィルムが副面に貼り付けられた、保護フィルムおよびスマートフォンの斜視図である。
【図１９】下方向から見た第３実施形態に係る保護フィルム貼付用治具の斜視図である。
【発明を実施するための形態】
【００２０】
（第１実施形態）
第１実施形態に係る保護フィルム貼付用セットを説明する。保護フィルム貼付用セットは、スマートフォンの主面に保護フィルムを貼り付けるために用いられる。
【００２１】
図１は、取付前における、互いに分離されている保護フィルム貼付用治具１０、フィルム積層体２０、およびスマートフォンの斜視図である。保護フィルム貼付用セットは、保護フィルム貼付用治具１０およびフィルム積層体２０を備えている。保護フィルム貼付用治具（以下、治具）１０は、スマートフォンのケース９０に所定の取付方向Ｄ１で取り付けられる。
【００２２】
図２は、互いに取り付けられている保護フィルム貼付用治具１０、フィルム積層体２０、およびスマートフォンの斜視図である。図２において、治具１０およびフィルム積層体２０は、ケース９０に取り付けられている。このとき、治具１０は、ケース９０を位置決めし、さらにフィルム積層体２０をケース９０の主面９０Ｍに対して位置決めする。以下、治具１０、フィルム積層体２０、およびケース９０を個別に説明し、さらに保護フィルム貼付用セットの使用手順を説明する。なお、説明の便宜上、図１、図２において、図面の右側を、治具１０、フィルム積層体２０、ケース９０の前側とする。
【００２３】
図１、図３を参照して、スマートフォンのケース９０を説明する。
【００２４】
図３は、スマートフォンの斜視図である。図１、図３において、スマートフォンのケース９０は、スマートフォンの外殻を示しており、スマートフォンの筐体９１および液晶パネル９２を含んでいる。ケース９０は、直方体状の形状を有しており、概略的には、６つの外面を有している。６つの外面は、主面９０Ｍ、副面９０Ｓ、後面９０Ｂ、前面９０Ｆ、右側面９０Ｒ、および左側面９０Ｌである。主面９０Ｍおよび副面９０Ｓは、ケース９０において最も面積の大きな２つの面を指している。本実施形態では、主面９０Ｍは、筐体９１の上面および液晶パネル９２の最外面（表示面）からなっている。後面９０Ｂ、前面９０Ｆ、右側面９０Ｒ、および左側面９０Ｌは、互いに湾曲面を介して接続されており、上面視（主面９０Ｍに垂直な方向からの視点）において、丸みを帯びた形状を形成している。
【００２５】
図１、図４を参照して、フィルム積層体２０を説明する。
【００２６】
図４は、第１実施形態に係るフィルム積層体２０の側面図である。図４において、フィルム積層体２０は、概略的には、保持フィルム２１、保護フィルム２２、およびセパレータ２３からなる３層構造を有している。保持フィルム２１の下に保護フィルム２２が貼り付けられており、保護フィルム２２の下にセパレータ２３が貼り付けられている。保持フィルム２１は、本体層２１ａおよび接着層２１ｂからなる２層構造を有しており、保護フィルム２２は、本体層２２ａおよび接着層２２ｂからなる２層構造を有している。保持フィルム２１の接着層２１ｂが保護フィルム２２の本体層２２ａに接着している。保護フィルム２２の接着層２２ｂがセパレータ２３に接着している。
【００２７】
図１に示されるように、上面視において、保持フィルム２１、保護フィルム２２、およびセパレータ２３は、同一の寸法を有している。フィルム積層体２０の寸法は、保護フィルム２２が貼り付けられる対象であるケース９０の主面９０Ｍの寸法に合わせて、設計されている。
【００２８】
図１、図２、図５を参照して、治具１０を説明する。
【００２９】
図１において、治具１０は、所定の取付方向Ｄ１からケース９０に取り付けられる。取付方向Ｄ１は、ケース９０の主面９０Ｍに対して垂直な方向であり、ケース９０の上面視の方向に等しい。治具１０は、第１枠体１１および第１外周壁１２を備えている。
【００３０】
図２において、第１枠体１１は、フィルム積層体２０の外周面２０ａの全体を囲む内周面１１ａと、前記主面９０Ｍに沿って前記主面９０Ｍの外周部に張り出す規制面１１ｂ（図５）とを有している。
【００３１】
内周面１１ａは、取付方向Ｄ１において第１枠体１１を貫通する開口を形成している。この内周面１１ａの寸法は、内周面１１ａとフィルム積層体２０の外周面２０ａとの間の隙間がほとんど発生しないように、設定されている。フィルム積層体２０は、内周面１１ａによって、主面９０Ｍ内において平行移動および回転ができない。このため、第１枠体１１の内周面１１ａ（フィルム位置決め部）は、フィルム積層体２０の外周面２０ａの少なくとも一部に略接触することにより、主面９０Ｍ上でフィルム積層体２０の平行移動および回転を規制するようにフィルム積層体２０を位置決めしている。
【００３２】
図５は、第１実施形態に係る治具１０の下面図である。規制面１１ｂは、第１枠体１１の下面において、内周面１１ａから外側に広がる帯状部分である。この帯状部分は、第１枠体１１において、主面９０Ｍに沿って主面９０Ｍの外周部に張り出し、主面９０Ｍの外周部に重なっている部分である。第１枠体１１によって主面９０Ｍが部分的に隠されることから、内周面１１ａによって形成される開口の面積は、主面９０Ｍの面積よりも小さくなっている。規制面１１ｂは、ケース９０の主面９０Ｍの外周部に接触する。第１枠体１１の規制面１１ｂ（第１ケース規制部）は、主面９０Ｍに接触することにより、取付方向Ｄ１へケース９０が移動することを規制している。ここで、主面９０Ｍは、取付方向Ｄ１から見たときのケース９０の正面である。
【００３３】
図１、図２に示されるように、第１枠体１１の前部は、第１枠体１１の後部、右部、左部と比べて幅広となっている。この前部に、粘着テープを貼り付けるための貼付面１１ｃが形成されている。粘着テープの貼り付けについては後述する。
【００３４】
図５において、第１外周壁１２は、第１枠体１１から取付方向Ｄ１に延びる部分である。第１外周壁１２は、ケース９０の外周の全体ではなく、外周の一部を囲んでいる。第１外周壁１２は、Ｕ字壁部１２ａおよびＬ字壁部１２ｂからなっている。Ｕ字壁部１２ａは、ケース９０の左側、後側、右側の一部を囲むＵ字形状の部分である。Ｌ字壁部１２ｂは、ケース９０の右側の一部および前側の一部を囲むＬ字形状の部分である。Ｕ字壁部１２ａおよびＬ字壁部１２ｂは、下面視において分離されており、Ｕ字壁部１２ａおよびＬ字壁部１２ｂの間に開口部が形成されている。これらの開口部は、例えば、ケース９０から突出するスイッチおよび入出力端子と第１外周壁１２とが干渉しないように、設けられている。また、第１外周壁１２の位置は、第１外周壁１２の内面とケース９０の４つの側面（９０Ｆ、９０Ｒ、９０Ｂ、９０Ｌ）との間の隙間がほとんど発生しないように、設定されている。つまり、第１外周壁１２（第２ケース規制部）は、ケース９０の４つの側面（９０Ｆ、９０Ｒ、９０Ｂ、９０Ｌ）に略接触することにより、主面９０Ｍ内でケース９０が移動することを規制している。ここで、これらの４つの側面（９０Ｆ、９０Ｒ、９０Ｂ、９０Ｌ）は、取付方向Ｄ１から見たときのケース９０の外周面である。主面９０Ｍは、取付方向Ｄ１に対して垂直な垂直面である。
【００３５】
次に、保護フィルム２２を主面９０Ｍに的確に貼り付けるための保護フィルム貼付用セットの使用手順を説明する。この使用手順は、
（１）ケース９０およびフィルム積層体２０の位置決め（図２）、
（２）粘着テープ８０の貼り付け（図６）、
（３）セパレータ２３の分離（図７）、
（４）保護フィルム２２の貼り付け（図８）、および
（５）保持フィルム２１および粘着テープ８０の分離（図９）、からなっている。
【００３６】
図１に示されるように、まず、治具１０、フィルム積層体２０、およびスマートフォンは分離されている。治具１０が使用されるとき、スマートフォンのケース９０は、例えば略水平な台の上に置かれる。ケース９０の上部に治具１０を被せるように、治具１０が置かれる。ここで、治具１０をケース９０に取り付ける方向（取付方向Ｄ１）は、下方向である。治具１０がケース９０に取り付けられると、第１枠体１１の規制面１１ｂ（図５）が主面９０Ｍの外周部に接触し、ケース９０の４つの側面（９０Ｆ、９０Ｒ、９０Ｂ、９０Ｌ）が第１外周壁１２に略接触する。この結果、ケース９０は、治具１０に対して位置決めされる。治具１０には自重による下方向の力が加わっているので、治具１０はケース９０から外れることがなく、ケース９０の位置決めは維持される。さらに、治具１０の内周面１１ａ内に、フィルム積層体２０が置かれる。ここで、セパレータ２３が下側に位置するように、フィルム積層体２０が配置される。このとき、セパレータ２３がケース９０の主面９０Ｍに接触し、フィルム積層体２０の外周面２０ａが内周面１１ａに略接触する。この結果、フィルム積層体２０は、治具１０およびケース９０に対して位置決めされる。フィルム積層体２０には自重による下方向の力が加わっているので、フィルム積層体２０は治具１０およびケース９０から外れることがなく、フィルム積層体２０の位置決めは維持される。
【００３７】
ケース９０およびフィルム積層体２０の位置決めが完了すると、治具１０、フィルム積層体２０、およびスマートフォンの配置が、図２に示される配置となる。
【００３８】
図６は、治具１０およびフィルム積層体２０に粘着テープ８０が貼られた、保護フィルム貼付用治具１０、フィルム積層体２０、およびスマートフォンの斜視図である。位置決めが完了すると、フィルム積層体２０の前端の一辺に沿って、フィルム積層体２０とケース９０とに粘着テープ８０が貼り付けられる。ここで、上述の貼付面１１ｃは、粘着テープ８０を貼り付けるための領域を確保するために、設けられている。粘着テープ８０によりフィルム積層体２０とケース９０とが連結されると、フィルム積層体２０を開閉できるようになる。
【００３９】
図７は、フィルム積層体２０が開かれてセパレータ２３が分離されるときの、保護フィルム貼付用治具１０、フィルム積層体２０、およびスマートフォンの斜視図である。粘着テープ８０が貼り付けられると、フィルム積層体２０の後端部を引っ張ることにより、主面９０Ｍが開かれる。この結果、セパレータ２３が露出する。露出したセパレータ２３を保護フィルム２２から引っ張ることにより、セパレータ２３が保護フィルム２２から取り外される。この結果、保護フィルム２２の粘着層２１ｂ（図４）が露出する。
【００４０】
図８は、残りのフィルム積層体２０’が閉じられたときの、保護フィルム貼付用治具１０、残りのフィルム積層体２０’、およびスマートフォンの斜視図である。保護フィルム２２が露出すると、残りのフィルム積層体２０’（保護フィルム２２および保持フィルム２１）が再び閉じられる。保護フィルム２２の粘着層２１ｂが露出しているので、保護フィルム２２が主面９０Ｍに貼り付けられる。また、粘着テープ８０により残りのフィルム積層体２０’とケース９０とが連結されているので、残りのフィルム積層体２０’が閉じられるときにも、残りのフィルム積層体２０’の位置決めは維持されている。このため、適正な位置から外れることなく、保護フィルム２２が主面９０Ｍに貼り付けられる。
【００４１】
図９は、保持フィルム２１および粘着テープ８０が分離されたときの、保護フィルム貼付用治具１０、フィルム積層体２０、およびスマートフォンの斜視図である。保護フィルム２２の貼り付けが完了すると、保護フィルム２２から保持フィルム２１が剥がされ、粘着テープ８０が治具１０から剥がされる。さらに、治具１０を上方に持ち上げて、ケース９０から分離することによって、保護フィルム２２の貼り付けに関連する作業がすべて完了する。
【００４２】
図１０は、保護フィルム２２が主面９０Ｍに貼り付けられた、保護フィルム２２およびスマートフォンの斜視図である。上述の作業が完了すると、保護フィルム２２が主面９０Ｍに貼り付けられたスマートフォンが得られる。
【００４３】
（第２実施形態）
次に、第２実施形態に係る保護フィルム貼付用セットを説明する。第２実施形態に係る保護フィルム貼付用セットも、スマートフォンの主面に保護フィルムを貼り付けるために用いられる。第２実施形態に係る保護フィルム貼付用セットは、さらに、スマートフォンの副面に別の保護フィルムを貼り付けるためにも用いられる。
【００４４】
図１１は、分離されている保護フィルム貼付用治具１１０、フィルム積層体１２０、およびスマートフォンの斜視図である。第２実施形態に係る保護フィルム貼付用セットは、保護フィルム貼付用治具（以下、治具）１１０およびフィルム積層体１２０を備えている。治具１１０は、スマートフォンのケース９０に所定の取付方向Ｄ２で取り付けられる。
【００４５】
図１２は、取り付けられている保護フィルム貼付用治具１１０、フィルム積層体１２０、およびスマートフォンの斜視図である。図１２において、治具１１０およびフィルム積層体１２０は、ケース９０に取り付けられている。このとき、治具１１０は、ケース９０を位置決めし、さらにフィルム積層体１２０をケース９０の主面９０Ｍに対して位置決めする。以下、治具１１０およびフィルム積層体１２０を個別に説明し、さらに保護フィルム貼付用セットの使用手順を説明する。
【００４６】
図１１、図１３を参照して、フィルム積層体１２０を説明する。
【００４７】
図１３は、第２実施形態に係るフィルム積層体１２０の側面図である。第２実施形態に係るフィルム積層体１２０は、第１実施形態に係るフィルム積層体２０と同様に３層構造を有しており、大保持フィルム１２１、保護フィルム２２、およびセパレータ２３からなっている。ここで、保護フィルム２２およびセパレータ２３の寸法は、第１実施形態と第２実施形態との間で変化していない。ただし、第２実施形態に係る大保持フィルム１２１の寸法は、第１実施形態に係る保持フィルム２１の寸法よりも大きく、大保持フィルム１２１は保持フィルム２１よりも長く形成されている。また、大保持フィルム１２１は、保護フィルム２２の外側かつ大保持フィルム１２１の前端部に、２つの貫通孔（被係合部）１２１ｃを有している。なお、使用時まで、フィルム積層体１２０には不要部分１９０が取り付けられている。不要部分１９０は、保護フィルム２２およびセパレータ２３にそれぞれ対応する２層からなっている。不要部分１９０およびフィルム積層体１２０の全体では、各層の寸法（長さおよび幅）は同一となっている。図１１に示されるように、治具１１０を用いて保護フィルム２２が貼り付けられる際に、不要部分１９０がフィルム積層体１２０から取り除かれる。
【００４８】
図１１、図１３に示されるように、上面視において、大保持フィルム１２１は、保護フィルム２２およびセパレータ２３よりも前側に突出している。２つの貫通孔１２１ｃは、大保持フィルム１２１の前端部において、左右両側にそれぞれ配置されている。
【００４９】
図１１、図１２、図１４、図１５を参照して、治具１１０を説明する。
【００５０】
図１１において、治具１１０は、所定の取付方向Ｄ２からケース９０に取り付けられる。取付方向Ｄ２は、ケース９０の主面９０Ｍに対して平行な方向であり、ケース９０の前後方向に等しい。治具１１０は、第２枠体１１１、第２外周壁１１２、および第３枠体１１３を備えている。
【００５１】
図１２において、第２枠体１１１は、フィルム積層体１２０の外周面１２０ａの一部を囲む内周面１１１ａと、前記主面９０Ｍに沿って前記主面９０Ｍの外周部に張り出す規制面１１１ｂ（図１５）とを有している。
【００５２】
内周面１１１ａは、主面９０Ｍに対して垂直な方向よりみたときに凹形状となっており、取付方向Ｄ２に開放されている。この内周面１１１ａの寸法は、内周面１１１ａとフィルム積層体１２０の外周面１２０ａとの間の隙間がほとんど発生しないように、設定されている。フィルム積層体１２０の外周面１２０ａが内周面１１１ａに略接触すると、フィルム積層体１２０は、主面９０Ｍ内において回転ができない。フィルム積層体１２０は、取付方向Ｄ２の反対の方向に移動することは可能である。つまり、第２枠体１１１の内周面１１１ａ（フィルム位置決め部）は、フィルム積層体１２０の外周面１２０ａの少なくとも一部に略接触することにより、主面９０Ｍ上でフィルム積層体１２０の回転を規制するようにフィルム積層体１２０を位置決めしている。
【００５３】
図１１、図１２において、第２枠体１１１は、貼付面１１１ｃおよび２つのピン（係合部）１１１ｄを備えている。貼付面１１１ｃは、フィルム積層体１２０の大保持フィルム１２１を一時的に貼り付けるための部分である。第２枠体１１１の前部は、第２枠体１１１の後部、右部、左部と比べて幅広となっており、この前部に、貼付面１１１ｃが形成されている。第２枠体１１１の上面は、貼付面１１１ｃの形成領域において、大保持フィルム１２１の前端部の上面形状に合わせて窪んでいる。また、ピン１１１ｄは、貼付面１１１ｃから上方向（主面９０Ｍに対して垂直な方向）に突出する軸状部分である。ピン１１１ｄの軸断面の寸法は、貫通孔１２１ｃの軸断面の寸法と略同じまたは若干小さくなっており、貫通孔１２１ｃを押し広げながら、ピン１１１ｄを貫通孔１２１ｃ内に挿入することが可能となっている。このため、ピン１１１ｄが貫通孔１２１ｃ内に挿入されると、貫通孔１２１ｃがピン１１１ｄに固定される。つまり、フィルム積層体１２０の前端部が第２枠体１１１に固定される。フィルム積層体１２０の前端部の固定については後述する。
【００５４】
図１４は、第２実施形態に係る治具１１０の後面図である。つまり、図１４は、取付方向Ｄ２から見たときの治具１１０を示している。図１５は、図１４のＡ−Ａ断面図である。つまり、図１５は、治具１１０を下方から見た横断面図である。第２外周壁１１２は、第２枠体１１１から下方向（主面９０Ｍに対して垂直な方向）に延びる部分である。図１５において、第２外周壁１１２は、ケース９０の外周の一部を囲んでいる。第２外周壁１２は、２つの横壁部１１２ａおよび１つの縦壁部１１２ｂからなっている。２つの横壁部１１２ａはそれぞれ、ケース９０の左右両側において、ケース９０の側面（９０Ｌ、９０Ｒ）に略接触する部分であり、前後方向に延びている。縦壁部１１２ｂは、ケース９０の前面９０Ｆに略接触する部分であり、左右方向に延びている。また、縦壁部１１２ｂから前方向に延びる３つのリブ１１２ｃが形成されており、縦壁部１１２ｂおよび３つのリブ１１２ｃの全体形状がＥ字形状となっている。２つの横壁部１１２ａおよび１つの縦壁部１１２ｂは、上面視において分離されており、一方の横壁部１１２ａと縦壁部１１２ｂとの間に開口部が形成され、他方の横壁部１１２ａと縦壁部１１２ｂとの間にも開口部が形成されている。
【００５５】
第２外周壁１１２の縦壁部１１２ｂは、ケース９０の前面９０Ｆに接触する。縦壁部１１２ｂ（第１ケース規制部）は、前面９０Ｆに接触することにより、取付方向Ｄ２へケース９０が移動することを規制している。
【００５６】
規制面１１１ｂは、第２枠体１１１の下面において、内周面１１１ａから外側に広がる帯状部分である。この帯状部分は、第２枠体１１１において、主面９０Ｍに沿って主面９０Ｍの外周部に張り出し、主面９０Ｍの外周部の一部に重なっている部分である。規制面１１１ｂは、ケース９０の主面９０Ｍの外周部の一部に略接触する。
【００５７】
図１４において、第３枠体１１３は、第２枠体１１１と同様の構成を有している。第３枠体１１３は、内周面１１３ａ、規制面１１３ｂ、貼付面１１３ｃ、およびピン１１３ｄを備えている。第３枠体１１３の内周面１１３ａ、規制面１１３ｂ、貼付面１１３ｃ、およびピン１１３ｄは、それぞれ、第２枠体１１１の内周面１１１ａ、規制面１１１ｂ、貼付面１１１ｃ、およびピン１１１ｄに対応している。ここで、第３枠体１１３の内周面１１３ａ、貼付面１１３ｃ、およびピン１１３ｄは、別の保護フィルム３２（図１８）を副面９０Ｓに適切に貼り付けるための手段である。一方、第３枠体１１３の規制面１１３ｂは、ケース９０を位置決めするための手段である。
【００５８】
治具１１０において、第２枠体１１１の規制面１１１ｂ、第２外周壁１１２の２つの横壁部１１２ａ、および第３枠体１１３の規制面１１３ｂは、ケース９０の４つの側面（９０Ｆ、９０Ｒ、９０Ｂ、９０Ｌ）に略接触することにより、取付方向Ｄ２に対して垂直な垂直面内でケース９０が移動することを規制している。規制面１１１ｂ、２つの横壁部１１２ａ、および規制面１１３ｂは、ケース９０の移動を規制する規制手段（第２ケース規制部）を構成している。
【００５９】
次に、第２実施形態に係る保護フィルム貼付用セットの使用手順を説明する。第２実施形態に係る使用手順は、第１実施形態に係る使用手順と比べて、次の相違点を有している。第１実施形態では、粘着テープ８０を用いてフィルム積層体２０が治具１０に連結されていたが、第２実施形態では、治具１１０の２つのピン１１１ｄをフィルム積層体１２０の２つの貫通孔１２１ｃに挿入することによって、フィルム積層体１２０の前端部が治具１１０に固定される。また、第１実施形態では、主面９０Ｍに保護フィルム２２が貼り付けられていたが、第２実施形態では、主面９０Ｍに保護フィルム２２が貼り付けられ、さらに副面９０Ｓに別の保護フィルム３２が貼り付けられる。
【００６０】
図１１に示されるように、まず、治具１１０、フィルム積層体１２０、およびスマートフォンは分離されている。治具１１０が使用されるとき、スマートフォンのケース９０は、例えば上面が略水平な台の上に置かれる。ケース９０の前部に治具１１０を被せるように、治具１１０が置かれる。ここで、治具１１０をケース９０に取り付ける方向（取付方向Ｄ２）は、後方向である。治具１１０がケース９０に取り付けられると、第２外周壁１１２の縦壁部１１２ｂがケース９０の前面９０Ｆに接触する。また、第２枠体１１１の規制面１１１ｂ、第２外周壁１１２の２つの横壁部１１２ａ、および第３枠体１１３の規制面１１３ｂが、ケース９０の４つの側面（９０Ｆ、９０Ｒ、９０Ｂ、９０Ｌ）に略接触する。この結果、ケース９０は、治具１１０に対して位置決めされる。治具１１０がケース９０に押し付けられている限り、ケース９０の位置決めは維持される。次に、治具１１０の内周面１１１ａ内に、不要部分１９０が取り除かれたフィルム積層体１２０が置かれる。ここで、セパレータ２３が下側に位置するように、フィルム積層体１２０が配置される。このとき、セパレータ２３がケース９０の主面９０Ｍに接触し、フィルム積層体１２０の外周面２０ａが内周面１１ａに略接触する。この結果、フィルム積層体１２０は、治具１１０およびケース９０に対して位置決めされる。フィルム積層体１２０が治具１１０およびケース９０に押し付けられている限り、フィルム積層体１２０の位置決めは維持される。
【００６１】
次に、大保持フィルム１２１の２つの貫通孔１２１ｃに２つのピン１１１ｄが挿入されるように、大保持フィルム１２１の前端部が第２枠体１１１の貼付部１１１ｃに押し付けられる。ピン１１１ｄが貫通孔１２１ｃ内に挿入されると、フィルム積層体１２０の前端部が第２枠体１１１に固定される。フィルム積層体１２０の前端部が第２枠体１１１に固定されると、フィルム積層体１２０を開閉できるようになる。このとき、治具１１０、フィルム積層体１２０、およびスマートフォンの配置が、図１２に示される配置となる。
【００６２】
図１６は、フィルム積層体１２０が開かれたときの、保護フィルム貼付用治具１１０、フィルム積層体１２０、およびスマートフォンの斜視図である。フィルム積層体１２０の前端部が固定されると、フィルム積層体１２０の後端部を引っ張ることにより、主面９０Ｍが開かれる。この結果、セパレータ２３が露出する。露出したセパレータ２３を保護フィルム２２から引っ張ることにより、セパレータ２３が保護フィルム２２から取り外される。この結果、保護フィルム２２の粘着層２１ｂ（図１３）が露出する。
【００６３】
保護フィルム２２が露出すると、残りのフィルム積層体（保護フィルム２２および大保持フィルム１２１）が再び閉じられる。保護フィルム２２の粘着層２１ｂが露出しているので、保護フィルム２２が主面９０Ｍに貼り付けられる。また、貫通孔１２１ｃへのピン１１１ｄの挿入により、残りのフィルム積層体の前端部が治具１１０に固定されているので、残りのフィルム積層体が閉じられるときにも、残りのフィルム積層体の位置決めは維持されている。このため、適正な位置から外れることなく、保護フィルム２２が主面９０Ｍに貼り付けられる。
【００６４】
保護フィルム２２の貼り付けが完了すると、保護フィルム２２から大保持フィルム１２１が剥がされ、大保持フィルム１２１の前端部が治具１１０から取り外される。さらに、治具１０をケース９０から分離することによって、保護フィルム２２の貼り付けに関連する作業がすべて完了する。
【００６５】
上述の作業が完了すると、図１０に示されるように、保護フィルム２２が主面９０Ｍに貼り付けられたスマートフォンが得られる。
【００６６】
図１７は、分離されている保護フィルム貼付用治具１１０、別のフィルム積層体１３０、および主面９０Ｍに保護フィルム２２が貼り付けられたスマートフォンの斜視図である。主面９０Ｍへの保護フィルム２２の貼付が完了すると、次に、副面９０Ｓに保護フィルム３２を貼り付けるための作業が開始される。
【００６７】
ここで、別のフィルム積層体１３０は、ファイル積層体１２０と同様の３層構造を有しており、大保持フィルム、保護フィルム３２、およびセパレータを有している。別のフィルム積層体１３０の大保持フィルム１３１、保護フィルム３２、およびセパレータ３３は、それぞれファイル積層体１２０の大保持フィルム１２１、保護フィルム２２、およびセパレータ２３に対応している。
【００６８】
主面９０Ｍへの保護フィルム２２の貼付が完了すると、副面９０Ｓが上方向を向くように、ケース９０および治具１１０の姿勢が変更される。第２枠体１１１、第３枠体１１３はそれぞれ、フィルム積層体１２０、１３０に対応するように設計されている。ここで、保護フィルム２２、３２の形状およびフィルム積層体１２０、１３０の形状は、ケース９０の主面９０Ｍ、副面９０Ｆの形状に合わせて設計されている。スマートフォンはマイク、スピーカー、カメラ、および押しボタンを搭載しているが、これらの機器を保護フィルムによって被覆することは好ましくないため、これらの機器が露出するように保護フィルムに開口が形成されている。このため、保護フィルム２２、３２の形状は同一にならない。これに伴って、フィルム積層体１２０、１３０の形状も同一にはならない。このため、主面９０Ｍ側に第２枠体１１１が位置し、副面９０Ｓ側に第３枠体１１３が位置するように、ケース９０の姿勢に治具１１０の姿勢を合わせる必要がある。
【００６９】
副面９０Ｓへの保護フィルム３２の貼付も、主面９０への保護フィルム２２の貼付と同様に行われる。
【００７０】
図１８は、保護フィルム３２が副面９０Ｓに貼り付けられた、保護フィルム３２およびスマートフォンの斜視図である。主面９０への保護フィルム２２の貼付作業が完了すると、図１８に示されるように、保護フィルム３２が副面９０Ｓに貼り付けられたスマートフォンが得られる。
【００７１】
（第３実施形態）
次に、第３実施形態に係る保護フィルム貼付用セットを説明する。第３実施形態に係る保護フィルム貼付用治具２１０は、スマートフォンの主面に保護フィルムを貼り付けるために用いられる。第３実施形態に係る保護フィルム貼付用セットは、保護フィルム貼付用治具（以下、治具）２１０およびフィルム積層体１２０を備えている。治具２１０は、スマートフォンのケース９０に所定の取付方向Ｄ２で取り付けられる。
【００７２】
図１９は、下方向から見た第３実施形態に係る保護フィルム貼付用治具２１０の斜視図である。第３実施形態に係る治具２１０は、概略的には、第２実施形態に係る治具１１０の第３枠体１１３の代わりに、Ｌ字部品２１３を備えている。すなわち、治具２１０は、第２枠体１１１、第２外周壁１１２、およびＬ字部品２１３を備えている。Ｌ字部品２１３は、支持壁２１３ａおよび延出壁２１３ｂからなっている。支持壁２１３ａは、第２外周壁１１２と平行に延びており、第２枠体１１１に固定されている。延出壁２１３ｂは、第２外周壁１１２の下端から後方向（取付方向Ｄ２）に延びている。ケース９０が治具２１０に取り付けられると、延出壁２１３ｂの上面は、ケース９０の副面９０Ｓに略接触するようになっている。つまり、第３実施形態では、規制面１１１ｂ、２つの横壁部１１２ａ、および延出壁２１３ｂの上面が、ケース９０の移動を規制する規制手段（第２ケース規制部）を構成している。このため、第３実施形態に係る治具２１０を用いて、第２実施形態における使用手順にしたがって、主面９０Ｍに的確に保護フィルム２２を貼り付けることが可能である。
【００７３】
（本実施形態の作用、効果）
本実施形態に係る保護フィルム貼付用治具およびセットは、上述した構成により、次の作用、効果を有している。
【００７４】
（１）第１−３実施形態に係る保護フィルム貼付用治具１０、１１０、２１０は、直方体状の形状を有するスマートフォン（画像表示装置）のケース９０に所定の取付方向Ｄ１で取り付けられ、保護フィルム２２を前記ケース９０の主面９０Ｍ上の所定領域に貼り付けるのに先だって、セパレータ２３および前記保護フィルム２２を有するフィルム積層体２０、１２０を前記主面９０Ｍに対して位置決めする保護フィルム貼付用治具である。前記治具１０、１１０、２１０は、前記取付方向Ｄ１から見たときの前記ケース９０の正面（主面９０Ｍ、前面９０Ｆ）に接触することにより、前記取付方向Ｄ１へ前記ケース９０が移動することを規制する第１ケース規制部と、前記取付方向Ｄ１から見たときの前記ケース９０の外周面（前面９０Ｆ、右側面９０Ｒ、後面９０Ｂ、左側面９０Ｌ）の少なくとも一部に接触または略接触することにより、前記取付方向Ｄ１に対して垂直な垂直面内で前記ケース９０が移動することを規制する第２ケース規制部と、前記フィルム積層体２０、１２０の外周面２０ａ、１２０ａの少なくとも一部に略接触することにより、前記主面９０Ｍ上で前記フィルム積層体２０、１２０の回転を規制するように前記フィルム積層体２０、１２０を位置決めするフィルム位置決め部と、を備えている。
【００７５】
第１実施形態では、第１ケース規制部は第１枠体１１の規制面１１ｂであり、第２ケース規制部は第１外周壁１２であり、フィルム位置決め部は第１枠体１１の内周面１１ａである。第２実施形態では、第１ケース規制部は第２外周壁１１２の縦壁部１１２ｂであり、第２ケース規制部は第２枠体１１１の規制面１１１ｂ、第２外周壁１１２の２つの横壁部１１２ａ、および第３枠体１１３の規制面１１３ｂであり、フィルム位置決め部は第２枠体１１１の内周面１１１ａである。第３実施形態では、第２ケース規制部は第２枠体１１１の規制面１１１ｂ、第２外周壁１１２の２つの横壁部１１２ａ、およびＬ字部品２１３の延出壁２１３ｂである。
【００７６】
第１−３実施形態では、主面９０Ｍ上の所定領域は、主面９０Ｍの略全体である。所定領域は、主面９０Ｍの略全体に代えて、例えば、表示面（液晶パネル９２の最外面）の略全体に変更されてもよい。
【００７７】
治具が画像表示装置のケースに取り付けられると、第１ケース規制部が、更なる取付方向へのケースの移動を規制する。また、第２ケース規制部が、取付方向に垂直な垂直面内でのケースの移動を規制する。このため、治具がケースに取付方向で押し付けられている限り、ケースは治具に対して位置決めされる。さらに、フィルム積層体が主面上に配置されると、主面が、主面側へのフィルム積層体の移動を規制する。また、フィルム位置決め部がフィルム積層体の外周面の少なくとも一部を囲むことによって、前記主面上で前記フィルム積層体を位置決めする。このため、フィルム積層体が主面に押し付けられ、かつフィルム位置決め部に押し付けられている限り、フィルム積層体は治具に対して位置決めされる。このような位置決めは、例えば、人差し指でフィルム積層体を押しながら、残りの四本の指で治具を保持することによって可能であり、つまり片手で可能である。
【００７８】
このため、第１−３実施形態に係る保護フィルム貼付用治具によれば、主面上の所定領域に対するフィルム積層体の位置決めを、ユーザが容易に維持できる。
【００７９】
（２）第１実施形態に係る保護フィルム貼付用治具１０は、前記フィルム積層体２０の外周面２０ａの全体を囲む内周面１１ａと、前記主面９０Ｍに沿って前記主面９０Ｍの外周部に張り出す規制面１１ｂとを有する第１枠体１１と、前記取付方向Ｄ１に延びる第１外周壁１２と、を備えている。前記取付方向Ｄ１は、前記主面９０Ｍに対して垂直である。前記第１ケース規制部は、前記第１枠体１１の前記規制面１１ｂによって構成されている。前記フィルム位置決め部は、前記第１枠体１１の前記内周面１１ａによって構成されている。前記第２ケース規制部は、前記第１外周壁１２によって構成されている。
【００８０】
主面に対して垂直な取付方向で治具をケースに取り付けることによって、ケースは治具に対して位置決めされる。また、枠体内にフィルム積層体を配置することによって、フィルム積層体は治具に対して位置決めされる。治具およびフィルム積層体をケースに押し付けることによって、ケースの位置決めおよびフィルム積層体の位置決めが維持される。
【００８１】
このため、第１実施形態に係る保護フィルム貼付用治具によれば、主面上の所定領域に対するフィルム積層体の位置決めを、ユーザが容易に維持できる。
【００８２】
（３）第２、第３実施形態に係る保護フィルム貼付用治具１１０、２１０は、前記フィルム積層体１２０の外周面１２０ａの一部を囲む内周面１１１ａと、前記主面９０Ｍに沿って前記主面９０Ｍの外周部に張り出す規制面１１１ａとを有する第２枠体１１１と、前記主面９０Ｍに対して垂直な垂直方向に延びる第２外周壁１１２と、前記ケース９０の副面９０Ｓに沿って延びる延出体（第３枠体１１３、延出壁２１３ｂ）と、を備えている。前記取付方向Ｄ２は、前記主面９０Ｍに対して平行である。前記副面９０Ｓは、前記ケース９０において前記主面９０Ｍの反対側にある面である。前記第１ケース規制部は、前記第２外周壁１１２（の縦壁部１１２ｂ）によって構成されている。前記第２ケース規制部は、前記第２枠体１１１の前記規制面１１１ｂ、前記第２外周壁１１２（の２つの横壁部１１２ａ）、および前記延出体（第３枠体１１３、延出壁２１３ｂ）によって構成されている。前記フィルム位置決め部は、前記第２枠体１１１の前記内周面１１１ａによって構成されている。
【００８３】
主面に対して平行な取付方向で治具をケースに取り付けることによって、ケースは治具に対して位置決めされる。また、第２枠体内にフィルム積層体を配置することによって、フィルム積層体は治具に対して位置決めされる。治具およびフィルム積層体をケースに押し付けることによって、ケースの位置決めおよびフィルム積層体の位置決めが維持される。
【００８４】
このため、第２、第３実施形態に係る保護フィルム貼付用治具によれば、主面上の所定領域に対するフィルム積層体の位置決めを、ユーザが容易に維持できる。
【００８５】
また、第２枠体は、フィルム積層体の外周面の一部を囲むように形成されているので、フィルム積層体の外周面の全部を囲むように形成されている枠体と比べて、第２枠体の寸法は小さくなっている。
【００８６】
このため、第２、第３実施形態に係る保護フィルム貼付用治具によれば、治具の寸法を、ケースと比べて小さな寸法にすることができ、治具のコンパクト化を実現できる。
【００８７】
（４）第２実施形態に係る保護フィルム貼付用治具１１０は、別の保護フィルム３２を前記ケース９０の副面９０Ｓに貼り付けるのに先だって、セパレータ２３および前記別の保護フィルム３２を有する別のフィルム積層体１３０を前記副面９０Ｓに対して位置決めする。前記延出体は、前記別のフィルム積層体１３０の外周面１３０ａの一部を囲む内周面１１３ａと、前記副面９０Ｓに沿って前記副面９０Ｓの外周部に張り出す１１３ｂとを有する第３枠体１１３である。前記延出体は、前記別のフィルム積層体１３０の外周面１３０ａの少なくとも一部に略接触することにより、前記副面９０Ｓ上で前記別のフィルム積層体１３０を位置決めする。
【００８８】
第２実施形態に係る保護フィルム貼付用治具によれば、主面上の所定領域に対するフィルム積層体の位置決めだけでなく、副面における別のフィルム積層体の位置決めを、ユーザが容易に維持できる。
【００８９】
（５）第１実施形態に係る保護フィルム貼付用セットは、前記保護フィルム貼付用治具１０と、前記フィルム積層体２０と、を備えている。第２実施形態に係る保護フィルム貼付用セットは、前記保護フィルム貼付用治具１１０と、前記フィルム積層体１２０と、別のフィルム積層体１３０と、を備えている。第３実施形態に係る保護フィルム貼付用セットは、前記保護フィルム貼付用治具２１０と、前記フィルム積層体１２０と、を備えている。
【００９０】
このため、第１−３実施形態に係る保護フィルム貼付用セットによれば、主面上の所定領域に対するフィルム積層体の位置決めを、ユーザが容易に維持できる。
【００９１】
（６）前記フィルム積層体１２０、１３０が、前記セパレータ２３の反対側に配置され、前記保護フィルム２２、３２よりも大きな寸法を有する大保持フィルム１２１、１３１を備えている。前記大保持フィルム１２１、１３１は、それぞれ前記保護フィルム２２、３２の外側かつ前記大保持フィルム１２１、１３１の一端部に、被係合部（貫通孔１２１ｃ）を有している。第２、第３実施形態に係る保護フィルム貼付用治具１１０、２１０において、前記主面９０Ｍまたは前記副面９０Ｓ上で位置決めされた前記フィルム積層体１２０、１３０の前記被係合部（貫通孔１２１ｃ）と係合することによって、前記被係合部を固定する係合部（ピン１１１ｄ、１１３ｄ）を備えている。
【００９２】
第２、第３実施形態では、被係合部に係合部を係合させる構成として、貫通孔にピンを挿入する構成を採用している。
【００９３】
大保持フィルムの一端部に配置された被係合部が治具に配置された係合部に固定されると、フィルム積層体が治具に対して開閉できるようになる。フィルム積層体を開くことによって、フィルム積層体の位置決めを維持しながら、フィルム積層体からセパレータを剥がすことができる。フィルム積層体の位置決めを維持しながらセパレータを剥がすために、粘着テープなどの別の固定手段を用いる必要がない。
【００９４】
このため、第２、３実施形態に係る保護フィルム貼付用治具によれば、被係合部を有する専用のフィルム積層体を用いることにより、ユーザが容易に、フィルム積層体の位置決めを維持しながらセパレータを剥がして保護フィルムを副面上の所定領域に貼り付けることができる。
【００９５】
（７）第２実施形態に係る保護フィルム貼付用セットは、係合部を有する前記保護フィルム貼付用治具１１０と、被係合部を有する前記フィルム積層体１２０と、被係合部を有する別の前記フィルム積層体１３０と、を備えている。第３実施形態に係る保護フィルム貼付用セットは、係合部を有する前記保護フィルム貼付用治具２１０と、被係合部を有する前記フィルム積層体１２０と、を備えている。
【００９６】
このため、第２、３実施形態に係る保護フィルム貼付用治具によれば、ユーザが容易に、フィルム積層体の位置決めを維持しながらセパレータを剥がして保護フィルムを副面上の所定領域に貼り付けることができる。
【００９７】
（変形例）
本発明に係る保護フィルム貼付用セットは、上述の第１−３実施形態に限定されず、本発明の要旨を逸脱しない範囲で設計変更可能である。
【００９８】
第１−３実施形態では、第２ケース規制部は、ケース９０の外周面の少なくとも一部に略接触するように構成されている。第２ケース規制部は、代わりに、ケース９０の外周面の少なくとも一部に接触するように構成されてもよい。例えば、治具を弾性変形可能な材料によって成形することにより、ケース９０が治具に取り付けられるときに、治具が第２ケース規制部を押し広げながら第２ケース規制部内に挿入されるように、治具を構成できる。この場合、治具に取り付けられたケース９０は治具の弾性力により保持される。この場合、治具の全体を弾性変形可能な材料によって成形する必要はなく、第２ケース規制部を含む部分のみが弾性変形可能な材料によって成形されてもよい。
【００９９】
第２、第３実施形態では、フィルム積層体の一端部を治具に固定するための手段として、フィルム積層体の一端部に被係合部が形成され、治具に係合部が設けられている。このような固定手段を、第１枠体１１を有する第１実施形態に係る治具１１０に適用してもよい。逆に、第２枠体１１１を有する第２、第３実施形態に係る治具１１０、２１０から、このような固定手段を取り除いてもよい。
【０１００】
第２、第３実施形態は、被係合部を貫通孔とし、係合部をピンとしている。被係合部として、フィルム積層体の外周内に位置する貫通孔の代わりに、フィルム積層体の外周に繋がる溝を採用してもよい。
【符号の説明】
【０１０１】
１０    治具
１１    第１枠体
１１ａ  内周面（フィルム位置決め部）
１１ｂ  規制面（第１ケース規制部）
１２    第１外周壁（第２ケース規制部）
２０  フィルム積層体
２１  保持フィルム
２２  保護フィルム
２３  セパレータ
３２  別の保護フィルム
９０    ケース
９０Ｍ  主面
９０Ｓ  副面
９２    液晶パネル
１１０    治具
１１１    第２枠体
１１１ａ  内周面（フィルム位置決め部）
１１１ｂ  規制面（第２ケース規制部の一部）
１１２    第２外周壁
１１２ａ  横壁部（第２ケース規制部の一部）
１１２ｂ  縦壁部（第１ケース規制部）
１１３    第３枠体（延出体）
１１１ａ  内周面（フィルム位置決め部）
１１３ｂ  規制面（第２ケース規制部の一部）
１２０  フィルム積層体
１２１  大保持フィルム
１３０  別のフィルム積層体
２１０    治具
２１３ｂ  延出壁（延出体、第２ケース規制部の一部）
Ｄ１    取付方向
Ｄ２    取付方向
【図１】
2015111194.tif 000003
【図２】
2015111194.tif 000004
【図３】
2015111194.tif 000005
【図４】
2015111194.tif 000006
【図５】
2015111194.tif 000007
【図６】
2015111194.tif 000008
【図７】
2015111194.tif 000009
【図８】
2015111194.tif 000010
【図９】
2015111194.tif 000011
【図１０】
2015111194.tif 000012
【図１１】
2015111194.tif 000013
【図１２】
2015111194.tif 000014
【図１３】
2015111194.tif 000015
【図１４】
2015111194.tif 000016
【図１５】
2015111194.tif 000017
【図１６】
2015111194.tif 000018
【図１７】
2015111194.tif 000019
【図１８】
2015111194.tif 000020
【図１９】
2015111194.tif 000021